(57)【要約】【課題】  イベント会場等の入場時に超音波信号を発信し、ユーザの携帯端末に予め登録した顔写真データを表示し、これにより本人確認を行い、入場者が正規のチケット購入者であることを確認し、チケットの不適切な使用やなりすましを防止できるようにする。【解決手段】  イベントチケット管理システム１０は、ユーザの氏名、顔写真データ等のユーザ登録を行うユーザ登録部１１と、イベントのチケットを購入するチケット販売部１２と、当該チケットを発行するチケット発行部１３と、種々のデータを蓄積記録するデータベース１４とを備えるとともに、イベント会場の改札付近に設置され超音波信号をユーザの携帯情報端末に対して送出する超音波発信装置１５を備える。携帯情報端末Ｓは、予めインストールされている専用アプリを起動し、超音波発信装置からの信号を受信することにより、チケットを購入したユーザの顔写真データを表示し、イベント会場の改札での顔写真による本人確認を行う。【選択図】図１
2016015102.tif 000002
【特許請求の範囲】
【請求項１】
イベント会場への入場時においてユーザの本人確認を、該ユーザの携帯情報端末に表示した顔写真によって行うイベントチケット管理システムであって、
このイベントチケット管理システムは、ユーザの氏名、顔写真データ等のユーザ登録を行うユーザ登録部と、イベントのチケットを購入するチケット販売部と、当該チケットを発行するチケット発行部と、種々のデータを蓄積記録するデータベースとを備えるとともに、イベント会場の改札付近に設置され超音波信号をユーザの携帯情報端末に対して送出する超音波発信装置を備えてなり、
前記携帯情報端末は、予めインストールされている専用アプリを起動し、前記超音波発信装置からの信号を受信することにより、チケットを購入したユーザの顔写真データを表示し、イベント会場の改札での顔写真による本人確認を行えるように構成されていることを特徴とする超音波を利用したイベントチケット管理システム。
【請求項２】
請求項１記載の超音波を利用したイベントチケット管理システムにおいて、
前記イベントチケット管理システムは、前記携帯情報端末にインストールされた専用アプリを起動して、当該携帯情報端末から前記登録ユーザが購入したチケットに該当するイベント情報を認識するための信号を受取ることにより、前記データベース内に蓄積した顔写真データから当該登録ユーザに対応する顔写真データを抽出して送出し、前記携帯情報端末に前記専用アプリで取り込んで表示するように構成されていることを特徴とする超音波を利用したイベントチケット管理システム。
【請求項３】
請求項２記載の超音波を利用したイベントチケット管理システムにおいて、
前記携帯情報端末にインストールされた専用アプリは、イベント会場の改札付近で超音波発信装置からの顔写真データ等を含む購入チケットの関連情報を受信することにより、登録ユーザの顔写真データを携帯情報端末に表示することを特徴とする超音波を利用したイベントチケット管理システム。
【請求項４】
請求項１ないし請求項３のいずれか１項に記載の超音波を利用したイベントチケット管理システムにおいて、
前記携帯情報端末にインストールされた専用アプリは、イベント会場の改札付近で超音波発信装置からの購入チケットの関連情報を受信することにより、登録ユーザの登録情報、チケット情報を携帯情報端末に表示することを特徴とする超音波を利用したイベントチケット管理システム。
【請求項５】
請求項１ないし請求項４のいずれか１項に記載の超音波を利用したイベントチケット管理システムにおいて、
前記イベントチケット管理システムは、超音波以外のブルートゥース、その他のビーコン信号等のいずれかが用いられることを特徴とするイベントチケット管理システム。
【発明の詳細な説明】
【技術分野】
【０００１】  本発明は、例えばスマートフォン、携帯電話等の多機能携帯情報端末と超音波とを利用するチケット認証システムであって、特に多機能情報端末に登録ユーザの顔写真を表示させることにより、転売目的などチケットの不正な購入を防止することができる、超音波を利用したイベントチケット管理システムに関する。
【背景技術】
【０００２】  例えばコンサート等のイベント会場における入場にあたって、紙チケットの一部に予め印刷されている顔写真と当該紙チケットを持参した入場者の顔とを目視で見比べることにより、本人確認を行うことが従来から行われている（例えば、特許文献１参照）。
このような本人確認は、紙チケットの購入者に対し顔写真データの提出等を求め、紙チケットを発行するために、紙チケットの転売目的の購入などを抑制する効果がある。
【先行技術文献】
【特許文献】
【０００３】
【特許文献１】  特開２００６−２０１９９７号公報
【発明の概要】
【発明が解決しようとする課題】
【０００４】  しかし、このような従来方法によれば、紙チケットを印刷するための装置が複雑化し、印刷に時間がかかり、コスト高となるといった問題があった。特に、この種の紙チケットでは、偽造防止も図る必要があり、印刷のための用紙の種類を選別したり、印刷機に偽造防止機能を持たせたりする等の必要性があり、より一層のコスト高を招くという問題があった。【０００５】  さらに、このような紙チケットによれば、折れ曲がりや汚れなどで顔写真が見にくくなり、入場時の本人確認に時間がかかる等といった問題もあった。【０００６】  本発明はこのような事情に鑑みてなされたものであり、イベント会場等の入場にあたって、人間の耳には聞こえない超音波信号を発信し、入場者のスマートフォン、携帯電話等の多機能携帯情報端末にチケット購入者が登録した顔写真を表示し、当該顔写真により入場時における本人確認を行うことにより、入場者が正規のチケット購入者であることを確認でき、チケットの不適切な使用やなりすましを防止できる、超音波を利用したイベントチケット管理システムを得ることを目的とする。
【課題を解決するための手段】
【０００７】  このような目的に応えるために本発明（請求項１記載の発明）に係る超音波を利用したイベントチケット管理システムは、イベント会場への入場時においてユーザの本人確認を、該ユーザの携帯情報端末に表示した顔写真によって行うイベントチケット管理システムであって、このイベントチケット管理システムは、ユーザの氏名、顔写真データ等のユーザ登録を行うユーザ登録部と、イベントのチケットを購入するチケット販売部と、当該チケットを発行するチケット発行部と、種々のデータを蓄積記録するデータベースとを備えるとともに、イベント会場の改札付近に設置され超音波信号をユーザの携帯情報端末に対して送出する超音波発信装置を備えてなり、前記携帯情報端末は、予めインストールされている専用アプリを起動し、前記超音波発信装置からの信号を受信することにより、チケットを購入したユーザの顔写真データを表示し、イベント会場の改札での顔写真による本人確認を行えるように構成されていることを特徴とする。【０００８】  本発明（請求項２記載の発明）に係る超音波を利用したイベントチケット管理システムは、請求項１において、前記イベントチケット管理システムは、前記携帯情報端末にインストールされた専用アプリを起動して、当該携帯情報端末から前記登録ユーザが購入したチケットに該当するイベント情報を認識するための信号を受取ることにより、前記データベース内に蓄積した顔写真データから当該登録ユーザに対応する顔写真データを抽出して送出し、前記携帯情報端末に前記専用アプリを利用して表示するように構成されていることを特徴とする。【０００９】  本発明（請求項３記載の発明）に係る超音波を利用したイベントチケット管理システムは、請求項２において、前記携帯情報端末にインストールされた専用アプリは、イベント会場の改札付近で超音波発信装置からの顔写真データ等を含む購入チケットの関連情報を受信することにより、登録ユーザの顔写真データを携帯情報端末に表示することを特徴とする。【００１０】  本発明（請求項４記載の発明）に係る超音波を利用したイベントチケット管理システムは、請求項１ないし請求項３のいずれか１項において、前記携帯情報端末にインストールされた専用アプリは、イベント会場の改札付近で超音波発信装置からの購入チケットの関連情報を受信することにより、登録ユーザの登録情報、チケット情報を携帯情報端末に表示することを特徴とする。【００１１】  本発明（請求項５記載の発明）に係る超音波を利用したイベントチケット管理システムは、請求項１ないし請求項４のいずれか１項において、前記イベントチケット管理システムは、超音波以外のブルートゥース、その他のビーコン信号等のいずれかが用いられることを特徴とする。
【発明の効果】
【００１２】  以上説明したように本発明に係る超音波を利用したイベントチケット管理システムによれば、イベント会場等の入口に設置したチケット管理装置の超音波発信装置からの超音波を、ユーザが携帯している携帯情報端末に予めインストールされた専用アプリを起動して受信することにより、イベントチケット購入時に予め登録したユーザの顔写真データを表示するようにしているから、簡単な手法で手軽に、しかも安価に構成できるにもかかわらず、イベント会場の改札において本人確認を顔写真により行うことができ、これによりイベント会場等の入場にあ入場者が正規のチケット購入者であることを確認でき、チケットの不適切な使用やなりすましを防止できる。【００１３】  特に、本発明によれば、超音波等の近距離無線通信等を利用しているから、イベント会場の管理者側が設けた改札周りの特定の区画内において、個々の携帯情報端末のマイクがもつ周波数特性の相違を考慮し、環境雑音の影響や携帯端末自体の所在位置の移動によるドップラー効果の影響もなく、さらに聴覚の不要な音の聴取による不安感を生じさせることもなく、簡略構成でありながらシステム側の超音波発信装置と携帯情報端末をとの超音波通信を確立でき、簡略で優れた通信性能を発揮し得るとともに、周囲に不具合を与えるといった問題もなく、登録ユーザの携帯情報端末に予め登録したユーザの顔写真を表示することができるという優れた効果を得ることができる。【００１４】  また、本発明によれば、ユーザが携帯している携帯情報端末において専用アプリを起動することで、予め登録した顔写真を表示するとともに、当該チケットの情報をも合わせて表示することにより、これを、いわゆる電子チケットとして利用することができるものであり、従来のようなプリント印刷による紙チケットを不要にできるという利点もある。
【図面の簡単な説明】
【００１５】
【図１】  本発明に係る超音波を利用したイベントチケット管理システムの一実施形態を示し、システム全体の概要を説明するための概要図である。
【図２】  本発明に係る超音波を利用したイベントチケット管理システムにおいて、イベント会場の改札での本人確認を行う際の概要を説明するための概略図である。
【発明を実施するための形態】
【００１６】  図１は本発明に係る超音波を利用したイベントチケット管理システムの一実施形態を示す。
図において、全体を符号１０で示すイベントチケット管理システムは、イベント会場への入場時においてユーザの本人確認を、該ユーザの携帯情報端末Ｓに表示した顔写真によって行うように構成されている。すなわち、本システム１０は、イベントのチケットを購入しようとするユーザの登録を行ない、ユーザの氏名等の情報、さらには顔写真データを登録したりするとともに、チケットの購入、発行を行い、さらにイベント会場の改札において入場しようとする登録ユーザの携帯情報端末Ｓに対し、予めインストールした専用アプリを起動させるための超音波を発信し、これによりユーザが携帯する携帯情報端末Ｓに対し、ユーザの顔写真データ、さらには各種チケット情報等を表示するように構成されている。
【００１７】  なお、多機能携帯情報端末Ｓとしては、たとえばスマートフォンや携帯電話、さらにはＩｐａｄやＩｐｏｄ等の情報端末などがある。要は、ユーザが携帯し、超音波通信を受信できる機能をもち、また顔写真データなどを表示できる表示手段を有する携帯情報端末であればよい。
【００１８】  また、本システム１０における超音波発信装置１５と携帯情報端末Ｓとの間の通信を超音波としたのは、例えば特開２０１３−１４１０５４号公報などに示すように、超音波通信によれば、特定の区画（例えば図２のＥで示した所要の超音波到達エリア）内において、個々の携帯情報端末のマイクがもつ周波数特性の相違を考慮し、環境雑音の影響や携帯端末自体の所在位置の移動によるドップラー効果の影響もなく、さらに聴覚の不要な音の聴取による不安感を生じさせることもなく、簡略構成でありながらシステム側の超音波発信装置１５と携帯情報端末Ｓをとの超音波通信を確立でき、簡略で優れた通信性能を発揮し得るからである。
【００１９】  さて、本発明によれば、イベントチケット管理システム１０を、図１に示すような構成としている。すなわち、本システム１０は、ユーザの氏名、顔写真データＤ等のユーザ登録を行うユーザ登録部１１と、イベントのチケットを購入するチケット販売部１２と、当該チケットを発行するチケット発行部１３と、種々のデータを蓄積記録するデータベース１４とを備えるとともに、イベント会場２０の改札２１付近に設置され超音波信号をユーザＵの携帯情報端末Ｓに対して送出する超音波発信装置１５を備えている。
【００２０】  そして、前記携帯情報端末Ｓにインストールされた専用アプリは、これを起動することにより、図２に示すように、前記超音波発信装置１５からの信号を受信して、チケットを購入したユーザの顔写真データを表示し、イベント会場の改札での顔写真による本人確認を行えるように構成されている。
【００２１】  ここで、上述した本システム１０は、前記携帯情報端末Ｓにインストールされた専用アプリを起動して、当該携帯情報端末から前記登録ユーザが購入したチケットに該当するイベント情報を認識するための信号（超音波による場合は周波数データ信号）を受取ることにより、前記データベース１４内に蓄積した顔写真データから当該登録ユーザに対応する顔写真データＤを抽出して送出し、前記携帯情報端末Ｓに前記専用アプリを利用して表示するように構成されている。すなわち、この専用アプリは、イベント会場２０の改札２１付近で超音波発信装置１５からの信号を受信することにより、登録ユーザＵの顔写真データＤを携帯情報端末Ｓに表示するようになっている。
【００２２】  勿論、この専用アプリは、顔写真データＤの表示にあたって、当該専用アプリを用いての表示であることを携帯情報端末Ｓに明示できるような表示を行うように構成されている。
【００２３】  また、このような専用アプリは、超音波発信装置１５からの信号を受信することにより、登録ユーザＵの登録情報、チケット情報を合わせて表示することができるように構成するとよい。このようにすれば、電子チケットとして利用できる。
【００２４】  以上の構成による本システム１０において、ユーザによるチケットの購入やイベント会場２０への入場は、以下のようにして行われる。
【００２５】１、チケットを購入しようとするユーザＵは、インターネットを介して、本システム１０のサーバにアクセスすることで、会員登録を行う。
２、ユーザ登録時に、ユーザＵは自分の氏名等のデータ、顔写真データを登録する。
【００２６】３、登録ユーザＵは、インターネット上で希望するイベントのチケットを購入する。
４、これにより、ユニークなチケット番号を取得する。
【００２７】５、携帯情報端末Ｓに専用アプリをダウンロードする。
６、専用アプリを起動し、チケット番号を入力する。
７、表示された各種情報が登録ユーザＵ本人のものであることを確認する。
【００２８】８、イベント当日、会場入口（改札２１）で専用アプリを起動する。
９、専用アプリが当該イベントに紐付いた情報を超音波で受信する。
１０、専用アプリが、購入者（ユーザ）の氏名、顔写真、座席番号を携帯情報端末Ｓに表示する。
【００２９】１１、会場入口の係員が本人確認作業を行う。
１２、イベント会場へ入場する。
【００３０】  ここで、前述したユーザが顔写真データを登録したときにおいて、別名で同じ顔写真を複数登録するチケット申込者が存在していた場合などにあっては、このような不正使用を防ぐために登録済みの顔写真データＤのデータベース内で顔認証を行い、マッチ率の高い顔写真を目視で確認することで排除する。
【００３１】  また、上述したように本人確認が行われた後は、以下のようにするとよい。
すなわち、イベント会場２０の改札２１において、本人確認が行われ、本人であると判定されたときには、確認のために、リストバンド等の確認票を配布するとよい。
そして、このときに、専用アプリの画面上で係員のみが知っているパスコードを入力し、本人認証が完了するようにする。
【００３２】  ここで、専用アプリを立ち上げた後、１分間で本人認証が完了しない場合、アラートが鳴動するようにする。
なお、待ち時間等で１分以上経過する場合は、専用アプリをリロードすることでアラート鳴動を猶予するようにするとよい。
【００３３】  また、専用アプリの画面上で本人のみが知っている情報（事前に登録済み）を改札２１で入力してもらい、本人認証を行うようにしてもよい。このような本人認証にあたっては、事前に複数の情報を登録し、ランダムで数回にわたり表示することで本人性を確認するようにしてもよい。
【００３４】  上述したような超音波を利用したイベントチケット管理システム１０によれば、イベント会場２０等の改札２１に設置したチケット管理装置１５の超音波発信装置からの超音波を、ユーザＵが携帯している携帯情報端末Ｓが受信することにより、イベントチケット購入時に予め登録したユーザの顔写真データを表示できるので、本人確認を顔写真により行うことができ、これによりイベント会場２０等の入場にあ入場者が正規のチケット購入者であることを確認でき、チケットの不適切な使用やなりすましを防止できる。
【００３５】  なお、上述した実施形態での本システム１０によれば、超音波発信装置１５とスマートフォン等の携帯情報端末Ｓでの専用アプリとを用いると、例えばポイントサービス等を展開することが可能となる。すなわち、各種店舗などにユーザＵが来店することにより、店舗入口で超音波発信装置１５と端末Ｓの専用アプリとでポイントを取得するようにするとよい。その際の獲得ポイントは、各店舗毎で異なるようにするとよい。また、ポイントは、参加企業の商品券などに交換できるようにしてもよい。
【００３６】  なお、本発明は上述した実施の形態で説明した構造には限定されず、超音波を利用したイベントチケット管理システム１０を構成する各部の形状、構造等を適宜変形、変更し得ることは言うまでもない。
たとえば上述した実施形態では、超音波による通信機能を利用しているが、これに限らず、超音波以外のブルートゥース、その他のビーコン信号等のような適宜の近距離通信手段を利用するようにしてもよい。要は、イベント会場２０の改札２１付近で、ユーザが携帯している携帯情報端末Ｓに信号を送出することができるようにすればよい。
【符号の説明】
【００３７】１０  イベントチケット管理システム
１１  ユーザ登録部
１２  チケット販売部
１３  チケット発行部
１４  データベース
１５  超音波発信装置
２０  イベント会場
２１  改札
Ｓ  携帯情報端末（スマートフォン、携帯電話等）
Ｕ  ユーザ（チケット購入者）
Ｄ  顔写真データ
Ｅ  超音波到達エリア
【図１】
2016015102.tif 000003
【図２】
2016015102.tif 000004